(57)【特許請求の範囲】
【請求項１】
内部が減圧された容器本体に取り付けられ、サンプルを微小液滴に分断し、分散媒に分散させるためのエマルション生成部材であって、
前記容器本体内部の減圧状態を維持するための栓体と、
前記栓体内にサンプルを注入するためのサンプル注入孔と、
前記栓体内に配置され、前記サンプル注入孔から注入された前記サンプルを収容するためのサンプル収容部と、
前記栓体内に分散媒を注入するための分散媒注入孔と、
前記栓体内に配置され、前記分散媒注入孔から注入された前記分散媒を収容するための分散媒収容部と、
前記サンプル収容部に収容された前記サンプルおよび前記分散媒収容部に収容された前記分散媒を、前記容器本体側に排出するための排出口と、
前記サンプル収容部および前記排出口を接続し、前記サンプルを流すためのサンプル流路と、
前記分散媒収容部および前記サンプル流路を接続し、前記サンプル流路内を流れる前記サンプルを前記分散媒で微小液滴に分断するために、前記分散媒を流すための分散媒流路と、
を有する、エマルション生成部材。
【請求項２】
前記サンプル流路１つに対して前記分散媒流路を２つ有し、
一方の分散媒流路の前記サンプル流路側開口部、および他方の分散媒流路の前記サンプル流路側開口部が、前記サンプル流路を挟んで対向している、
請求項１に記載のエマルション生成部材。
【請求項３】
開口部を有する容器本体と、
前記容器本体の前記開口部に取り付けられた、請求項１または２に記載のエマルション生成部材と、
を有し、
前記容器本体内が減圧されている、
サンプル採取管。
【請求項４】
開口部を有する容器本体と、
前記容器本体の前記開口部に取り付けられた、請求項１または２に記載のエマルション生成部材と、
を有し、
前記サンプルが血液である、
採血管。
【発明の詳細な説明】
【技術分野】
【０００１】
本発明は、エマルション生成部材、およびこれを用いたサンプル採取管、ならびに採血管に関する。
【背景技術】
【０００２】
免疫検査や各種研究において、人体等から血液や体液等の採取が行われている。一般的なサンプル採取管は、容器本体の開口に、ゴム等からなる栓体が圧入されて密封されており、血液等を速やかに採取するため、内部を減圧した採血管等も実用化されている。
【０００３】
また例えば、採血管内に血液分離フィルタを有し、血液を血球と血漿または血清とに分離可能な採血管も提案されている（特許文献１）。
【先行技術文献】
【特許文献】
【０００４】
【特許文献１】特開２００７−５３６号公報
【発明の概要】
【発明が解決しようとする課題】
【０００５】
しかしながら、従来の採血管では、採取したサンプルを血球または細胞ごとに分離することが難しかった。例えば、特許文献１の採血管等では、血液を血球と血漿または血清とに分離することができるが、血球または細胞をそれぞれ分離することは難しい。そのため、溶血が生じると、血球由来、細胞由来を問わずにＤＮＡ、ＲＮＡ、およびタンパクが混ざってしまい、特定の細胞種のみの核酸やタンパク質を解析することが難しい、との課題があった。
【０００６】
これに対し、血液を血球または細胞ごとに分けて貯留できれば、溶血しても、特定の細胞由来の成分を特定することができる。そこで、本発明は、サンプルを微細液滴に分断し、分散媒に分散させてエマルション状態とするためのエマルション生成部材、およびこれを用いたサンプル採取管、ならびに採血管を提供する。
【課題を解決するための手段】
【０００７】
本発明に係るエマルション生成部材は、内部が減圧された容器本体に取り付けられ、サンプルを微小液滴に分断し、分散媒に分散させるためのエマルション生成部材であって、前記容器本体内部の減圧状態を維持するための栓体と、前記栓体内にサンプルを注入するためのサンプル注入孔と、前記栓体内に配置され、前記サンプル注入孔から注入された前記サンプルを収容するためのサンプル収容部と、前記栓体内に分散媒を注入するための分散媒注入孔と、前記栓体内に配置され、前記分散媒注入孔から注入された前記分散媒を収容するための分散媒収容部と、を有する。また当該エマルション生成部材は、前記サンプル収容部に収容された前記サンプルおよび前記分散媒収容部に収容された前記分散媒を、前記容器本体側に排出するための排出口と、前記サンプル収容部および前記排出口を接続し、前記サンプルを流すためのサンプル流路と、前記分散媒収容部および前記サンプル流路を接続し、前記サンプル流路内を流動する前記サンプルを前記分散媒で微小液滴に分断するために、前記分散媒を流すための分散媒流路と、をさらに有する。
【０００８】
本発明のサンプル採取管は、開口部を有する容器本体と、前記容器本体の前記開口部に取り付けられた、前述の記載のエマルション生成部材と、を有し、前記容器本体内が減圧されている。
【０００９】
本発明の採血管は、開口部を有する容器本体と、前記容器本体の前記開口部に取り付けられた、前述のエマルション生成部材と、を有し、前記サンプルが血液である。
【発明の効果】
【００１０】
本発明のエマルション生成部材によれば、サンプルを微小液滴に分断し、分散媒に分散させた状態で貯蔵することが可能である。したがって、例えば血液をサンプルとする場合、微小液滴内で溶血したとしても、血球または細胞の成分が、他の血球または細胞の成分と混ざることがなく、特定の血球または細胞由来の成分のみを検査すること等が可能となる。
【図面の簡単な説明】
【００１１】
【図１】図１Ａは、本発明のエマルション生成部材を用いたサンプル採取管の正面図であり、図１Ｂは、図１Ａのサンプル採取管の断面図であり、図１Ｃは、図１Ａのサンプル採取管の平面図である。
【図２】図２は、本発明のエマルション生成部材の分解図である。
【図３】図３Ａは、本発明のエマルション生成部材の第１部材の正面図であり、図３Ｂは、当該第１部材の断面図であり、図３Ｃは、当該第１部材の平面図である。
【図４】図４Ａは、本発明のエマルション生成部材の第２部材の正面図であり、図４Ｂは、当該第２部材の断面図であり、図４Ｃは、当該第２部材の底面図である。
【図５】図５は、本発明のエマルション生成部材の第２部材の底面の部分拡大断面図である。
【図６】図６は、本発明のエマルション生成部材の第２部材の底面の部分拡大断面図である。
【図７】図７Ａは、本発明のエマルション生成部材のフィルムの正面図であり、図７Ｂは当該フィルムの平面図である。
【発明を実施するための形態】
【００１２】
以下、本発明に係る一実施の形態について、図面を参照して詳細に説明するが、本発明は、以下の実施の形態に限定されない。
【００１３】
（エマルション生成部材の構成）
図１Ａ〜Ｃは、本実施の形態に係るエマルション生成部材１１を用いたサンプル採取管１００の構成を示す図である。図１Ａは、サンプル採取管１００の正面図であり、図１Ｂは、図１Ａのサンプル採取管１００のＡ−Ａ断面図であり、図１Ｃは、図１Ａのサンプル採取管１００の平面図である。
【００１４】
図１Ａに示すように、本実施の形態のエマルション生成部材１１は、サンプル採取管１００の容器本体１０に取り付けて用いられる。本実施の形態のエマルション生成部材１１では、エマルション生成部材１１自体が、容器本体１０を密閉し、容器本体１０内の減圧状態を維持するための栓体として機能する。エマルション生成部材１１は、図１Ｂおよび図１Ｃに示すように、容器本体１０を密閉するための基部１２と、エマルション生成部材（基部）１１内にサンプルを注入するためのサンプル注入孔１３と、エマルション生成部材（基部）１１内に分散媒を注入するための分散媒注入孔１５とを有する。そして、エマルション生成部材１１内に、サンプルおよび分散媒を導入することで、サンプルが分散媒によって微小液滴に分断されたエマルションが生成される。
【００１５】
ここで、本実施の形態のエマルション生成部材１１に適用可能なサンプルは、液体状の成分であれば特に制限されず、その例には、ＤＮＡ、ＲＮＡおよびタンパク質等の溶液、細胞懸濁液、血液や体液等が含まれる。一方、本実施の形態のエマルション生成部材１１に適用可能な分散媒は、サンプルの種類に応じて適宜選択される。分散媒は、サンプルと相溶せず、かつサンプルを変性させない液状の成分であれば特に制限されない。例えばサンプルが血液である場合には、常温で液状の各種オイル、例えば鉱物油、シリコーンオイル等とすることができる。また、界面活性剤を添加したオイルの使用も可能である。
【００１６】
ここで、本実施の形態のエマルション生成部材１１は、図２の分解図に示すように、第１部材１１Ａ、第２部材１１Ｂ、およびフィルム１１Ｃの３つの部材からなる。ただし、本発明のエマルション生成部材１１は、これらのうち２つまたは３つが一体に形成されていてもよい。また、本発明のエマルション生成部材１１は、４つ以上の部材に分断可能に形成されていてもよい。
【００１７】
図３Ａは、第１部材１１Ａの正面図であり、図３Ｂは、当該第１部材１１ＡのＡ−Ａ断面図であり、図３Ｃは、当該第１部材１１Ａの平面図である。図３Ｂに示すように、本実施の形態の第１部材１１Ａは、基部１２を含む。本実施の形態では、図１Ｂに示すように、基部１２が容器本体１０の開口部の内側に嵌め込まれ、基部１２の外周と、容器本体１０の開口部の内周とが密着することで、容器本体１０内の減圧状態が維持される。なお、基部１２は、図１Ｂに示すように、後述の第２部材１１Ｂのサンプル収容部１４および分散媒収容部１６を密閉する役割を果たしてもよい。この場合も、サンプル収容部１４の内周と基部１２の外周とが密着したり、分散媒収容部１６の内周と基部１２の外周とが密着したりすることで、サンプル収容部１４および分散媒収容部１６内部が密閉される。
【００１８】
基部１２は、上述のように、容器本体１０や、サンプル収容部１４および分散媒収容部１６を密閉可能であれば、その形状は特に制限されず、容器本体１０の形状やサンプル収容部１４や分散媒収容部１６の形状に合わせて適宜選択される。基部１２の素材は特に制限されないが、容器本体１０等に嵌め込みやすく、かつ容器本体１０に密着させやすいとの観点から、容器本体１０やサンプル収容部１４、分散媒収容部１６と接触する部分はゴム等の弾性体からなることが好ましい。基部１２は、例えば樹脂の成形体と弾性体とを組み合わせたものであってもよいが、全体が弾性体からなるものであることが、製造効率等の観点から好ましい。
【００１９】
第１部材１１Ａはさらに、図３Ｂに示すように、基部１２内にサンプルを注入するためのサンプル注入孔１３、および基部１２内に分散媒を注入するための分散媒注入孔１５も有する。サンプル注入孔１３は、サンプルをエマルション生成部材１１の外部から後述のサンプル収容部１４まで導入するための孔である。一方、分散媒注入孔１５は、分散媒をエマルション生成部材１１の外部から後述の分散媒収容部１６まで導入するための孔である。サンプル注入孔１３へのサンプルの注入や、分散媒注入孔１５への分散媒の注入は、通常、中空針を用いて行われる。
【００２０】
ここで、使用前のエマルション生成部材１１では、サンプル注入孔１３および分散媒注入孔１５が基部１２の外部と連通していないことが好ましい。サンプル注入孔１３および分散媒注入孔１５が基部１２の外部と連通していると、容器本体１０の減圧状態が維持され難くなる。そこで、使用前のエマルション生成部材１１では、サンプル注入孔１３および分散媒注入孔１５の基部１２側の表面が、針を突き刺し可能なシート（図示せず）等で覆われていたり、これらを塞ぐキャップ（図示せず）が装着されていたりすることが好ましい。一方で、エマルション生成部材１１の使用中にも、サンプル注入孔１３や分散媒注入孔１５から容器本体１０内に空気が入り込むと、容器本体１０の減圧状態が維持され難くなる。そこで、サンプル注入孔１３および分散媒注入孔１５の径は、サンプルや分散媒を注入するための中空針の外径と同等、もしくはこれより小さいことが好ましい。
【００２１】
第１部材１１Ａにおけるサンプル注入孔１３および分散媒注入孔１５の位置は、後述のサンプル収容部１４や分散媒収容部１６の位置に合わせて適宜選択される。また、本実施の形態では、第１部材にサンプル注入孔１３および分散媒注入孔１５をそれぞれ１つずつ有するが、第１部材は、サンプル注入孔１３および分散媒注入孔１５を複数有していてもよい。また、基部１２にサンプル注入孔１３および分散媒注入孔１５を形成する方法は特に制限されず、公知の方法で貫通孔を形成する方法とすることができる。
【００２２】
一方、図４Ａは、エマルション生成部材１１の第２部材１１Ｂの正面図であり、図４Ｂは、当該第２部材１１ＢのＡ−Ａ断面図であり、図４Ｃは、当該第２部材１１Ｂの底面図である。エマルション生成部材１１の第２部材１１Ｂは、図４Ｂに示すように、サンプル収容部１４と分散媒収容部１６とを有する。サンプル収容部１４および分散媒収容部１６は、それぞれサンプルおよび分散媒を一時的に収容できれば、その形状は特に制限されない。本実施の形態では、サンプル収容部１４が第２部材１１Ｂの中心側に円柱状に形成されており、分散媒収容部１６が第２部材１１Ｂの外周に円環状に形成されているが、サンプル収容部１４および分散媒収容部１６の配置はこれらに制限されず、例えば分散媒収容部１６が中心側に配置されていてもよい。
【００２３】
第２部材１１Ｂはさらに、図４Ｃの底面図に示すように、サンプルおよび分散媒を所望の方向に流動させるためのサンプル流路溝１８および分散媒流路溝１９を有する。図４Ｃの破線部の部分拡大図を図５に示す。図４Ｃおよび図５に示すように、サンプル流路溝１８および分散媒流路溝１９は、第２部材の底部に形成された溝であり、第２部材１１Ｂと後述のフィルム１１Ｃとを接合することで、サンプル流路溝１８および分散媒流路溝１９の開口部が塞がれる。そして、サンプル流路溝１８およびフィルム１１Ｃに囲まれた領域がサンプルの流路（以下、「サンプル流路」とも称する）となり、分散媒流路溝１９およびフィルム１１Ｃに囲まれた領域が分散媒の流路（以下、「分散媒流路」とも称する）となる。
【００２４】
ここで、サンプル流路溝１８の一端はサンプル収容部１４と流路１４ａで接続されており、他端は、後述のフィルム１１Ｃの排出口１７と接続されている。一方、分散媒流路孔１９の一端は分散媒収容部１６と流路１６ａで接続されており、他端はサンプル流路孔１８と接続されている。
【００２５】
図５に、サンプルの流れ方向を実線の矢印で示し、分散媒の流れ方向を一点鎖線の矢印で示す。図５に示すように、サンプルは、サンプル流路溝１８内をサンプル収容部１４と連通する流路１４ａ側から排出口１７側に向けて流動する。一方、分散媒は、分散媒収容部１４と連通する流路１６ａ側から、分散媒流路１９内を、分散媒流路溝１９のサンプル流路側開口部（図５中、ＡまたはＢで表される部分）側に向けて流動し、サンプル流路溝１８に流入する。このとき、サンプル流路溝１８における、サンプルの流れは分散媒によって分断され、サンプルは微小液滴となる。そして、当該分散液滴は分散媒に分散されて、後述のフィルム１１Ｃの排出口１７から排出される。
【００２６】
本実施の形態では、１つのサンプル流路溝１８に、２つの分散媒流路溝１９が接続しており、一方の分散媒流路溝１９のサンプル流路溝１８側開口部（図５中、Ａで示される領域）、および他方の分散媒流路溝１９のサンプル流路溝１８側開口部（図５中、Ｂで示される領域）が、サンプル流路溝１８を挟んで対向している。そのため、分散媒流路溝１９のサンプル流路溝１８側開口部（図５中、ＡおよびＢで示される領域）近傍では、サンプルの流れに、両側面から剪断力が加わる。したがって、サンプルの流れが分散媒によって分断されやすく、サンプルは非常に粒径の小さい微小液滴となる。
【００２７】
ただし、サンプル流路溝１８および分散媒流路溝１９は、図６に示すように、Ｔ字状に接続されていてもよい。この場合、サンプルの流れに一方向から剪断力が加わる。このような剪断力によっても、サンプルの流れを十分に分断することが可能であり、上記と同様に、サンプルの微小液滴が分散媒に分散されたエマルションが生成される。
【００２８】
また、本実施の形態では、サンプル流路溝１８および分散媒流路溝１９が直線状に形成されているが、これらは曲線状に形成されていてもよい。また、サンプル流路溝１８および分散媒流路溝１９の一部または全部が、フィルム１１Ｃの表面に対して傾斜を有するように形成されていてもよい。
【００２９】
また、本実施の形態では、図４Ｃに示すように、第２部材１１Ｂが４組のサンプル流路溝１８および分散媒流路溝１９を有するが、第２部材１１Ｂが有するサンプル流路溝１８および分散媒流路溝１９の数はこれらに制限されない。
【００３０】
ここで、サンプル流路に流入する分散媒の量（体積）は、サンプル流路に流入するサンプルの量（体積）より多いことが好ましい。分散媒の量が少な過ぎると、生成したサンプルの微小液滴どうしが接触し、これらが合一するおそれがある。サンプル流路に流入するサンプルの量は、サンプル収容部１４に形成される流路１４ａの径や、サンプル流路溝１８の高さ、サンプル流路溝１８の幅等で調整される。サンプル流路に流入する分散媒の量も、分散媒収容部１６に形成される流路１６ａの径や、分散媒流路溝１９の高さ、分散媒流路溝１９の幅等で調整される。
【００３１】
また、第２部材１１Ｂには、後述のフィルム１１Ｃを熱溶着によって接合することができる。そのため、フラットで且つフィルム１１Ｃの外形よりやや大きめな外形の底部を有していることが好ましい。第２部材１１Ｂがこのような底部を有すると、第２部材１１Ｂにフィルム１１Ｃを接合させる際、接合面となる第２部材１１Ｂの底部全体に均一に圧力をかけることができ、安定した接合が可能となる。また、サンプル採取管１００の容器本体１０へエマルション生成部材１１を栓体として挿入する際の妨げになるような、第２部材１１Ｂの底部からのフィルム１１Ｃのはみ出しを防ぐことができる。
【００３２】
ここで、第２部材１１Ｂは、サンプル収容部１４および分散媒収容部１６、ならびにサンプル流路溝１８、分散媒流路溝１９の形状を所望の形状に形成可能であれば特に制限されず、公知の樹脂の成形体とすることができる。
【００３３】
一方、図７Ａに本実施の形態のエマルション生成部材１１のフィルム１１Ｃの正面図を示し、図７Ｂに当該フィルム１１Ｃの平面図を示す。フィルム１１Ｃは、第２部材１１Ｂの底面に取り付けられ、前述の第２部材１１Ｂのサンプル流路溝１８および分散媒流路溝１９の開口部を塞ぐと共に、微小液滴となったサンプルが分散媒に分散されたエマルションを容器本体１０側に排出する部材である。
【００３４】
図７Ｂに示すように、フィルム１１Ｃは、排出口１７（貫通孔）を有する平板状の部材とすることができる。フィルム１１Ｃには、必要に応じて、前述の第２部材１１Ｂのサンプル流路溝１８および分散媒流路溝１９に対応する箇所に溝（図示せず）を有していてもよい。また、サンプル流路溝１８および分散媒流路溝１９に対応する領域に凸部（図示せず）を有していてもよい。フィルム１１Ｃがサンプル流路溝１８および分散媒流路溝１９に対応する凸部を有する場合、サンプル流路溝１８および分散媒流路溝１９にこれらの凸部を嵌め込むことができる。この場合、サンプル流路溝１８または分散媒流路溝１９とフィルム１１Ｃの凸部の天面とに囲まれた領域がサンプル流路または分散媒流路となり、凸部によってサンプル流路や分散媒流路が十分に密閉されるため、サンプルや分散媒が漏れ難くなる。さらに、フィルム１１Ｃがこのような凸部を有すると、フィルム１１Ｃと第２部材１１Ｂとの位置合わせが容易となる、との利点もある。
【００３５】
フィルム１１Ｃは、第２部材１１Ｂに十分に密着可能であれば、その材質は特に制限されない。例えば、公知の樹脂からなるフィルム、もしくはゴム等の弾性体からなるフィルムとすることができる。
【００３６】
（エマルション生成部材の使用方法）
本実施の形態のエマルション生成部材１１の使用方法を以下説明する。以下、サンプルとして血液を用い、分散媒として血液と相溶しないオイルを用いた場合を例に説明するが、サンプルや分散媒はこれらに限定されない。
【００３７】
まず、本実施の形態のエマルション生成部材１１を、図１に示すように、容器本体１０に嵌め込み、サンプル採取管１００とする。エマルション生成部材１１を容器本体１０に嵌め込む作業は、大気圧下で行ってもよいが、減圧下で行うことが好ましい。これにより、エマルション生成部材１１嵌め込み後の容器本体１０内を減圧状態とすることができる。容器本体１０は、一端に開口部を有し、当該開口部がエマルション生成部材１１の基部１２と密着可能な形状であれば特に制限されない。公知の採血管やサンプル管と同様の形状および材質からなるものとすることができる。
【００３８】
続いて、エマルション生成部材１１の分散媒注入孔１５と、オイル（分散媒）が封入されたオイル封入容器とを連結チューブ等で連結する。当該連結方法の一例として、分散媒注入孔１５に連結チューブの一端に装着された針を挿入し、オイル封入容器に連結チューブの他端に配置された針を挿入する方法が挙げられる。オイル封入容器と分散媒注入孔１５とを連結すると、容器本体１０内の負圧により、オイルがエマルション生成部材１１側に移動する。ただし、オイルの送液開始前には、連結チューブをピンチコック等で閉塞しておくことが好ましい。
【００３９】
一方、エマルション生成部材１１のサンプル注入孔１３と、検体（例えば採血対象者）とを連結チューブで連結する。例えば、サンプル注入孔１３に連結チューブの一端に装着された針を挿入し、採血対象者に採血針を挿入することで、容器本体１０内の負圧により、血液がエマルション生成部材１１側に移動する。ただし、エマルション生成部材１１側への血液の送液開始前には、連結チューブをピンチコック等で閉塞しておくことが好ましい。
【００４０】
エマルション生成開始（採血開始）時には、まず、上記オイル封入容器と分散媒注入孔１５とを連結するチューブのピンチコックを開き、エマルション生成部材１１側にオイルを送液する。その後、採血対象者とサンプル注入孔１３とを連結するチューブのピンチコックを開き、エマルション生成部材１１側に血液を送液する。これにより、オイルおよび血液がそれぞれ、エマルション生成部材１１内の分散媒収容部１６およびサンプル収容部１４に収容される。そして、オイルおよび血液がそれぞれ、エマルション生成部材１１の下方に形成されたサンプル流路および分散媒流路を通過することで、血液がオイルによって微小液滴化され、容器本体１０内に血液の微小液滴がオイルに分散されたエマルションが排出される。
【００４１】
なお、上記では、オイルや血液のエマルション生成部材１１への送液は、容器本体１０内の負圧によって行っているが、オイル封入容器側や、検体側から加圧し、オイルや血液をエマルション生成部材１１側に送液してもよい。
【００４２】
（効果）
上述の実施の形態のエマルション生成部材によれば、サンプルを変性させることなく、微小液滴に分断することが可能となる。また特に、サンプルとして血液を用いた場合には、個々の血球または細胞ごとにオイルに分散させることが可能である。従来の採血管では、血液を血球または細胞ごとに分離して保存することが難しかった。そのため、溶血が生じると、いずれの血球または細胞由来の成分であるか特定することが困難となり、特定の血球または細胞由来の成分を分析することが難しかった。これに対し、上述の実施形態のエマルション生成部材によれば、溶血が生じたり、一部の成分が変質したとしても、血球または細胞の成分が、他の血球または細胞の成分と混じりあうことがない。したがって、特定の血球または細胞由来の成分を分析することが可能となる。
【産業上の利用可能性】
【００４３】
本発明のエマルション生成部材によれば、サンプルを微小液滴に分断し、分散媒に分散させた状態で貯蔵することが可能である。したがって、例えば血液をサンプルとしたときに、血球または細胞ごとに貯蔵することが可能であり、溶血が生じたとしても、他の血球または細胞由来の成分と混ざることがない。つまり、特定の血球または細胞由来の成分のみを検査すること等が可能となり、免疫検査や各種研究において、非常に有用である。
【符号の説明】
【００４４】
１０  容器本体
１１  エマルション生成部材（栓体）
１１Ａ  第１部材
１１Ｂ  第２部材
１１Ｃ  フィルム
１２  基部
１３  サンプル注入孔
１４  サンプル収容部
１５  分散媒注入孔
１６  分散媒収容部
１７  排出口
１８  サンプル流路溝
１９  分散媒流路溝
【図１】
0006622147.tif 000002
【図２】
0006622147.tif 000003
【図３】
0006622147.tif 000004
【図４】
0006622147.tif 000005
【図５】
0006622147.tif 000006
【図６】
0006622147.tif 000007
【図７】
0006622147.tif 000008